(57)【要約】【課題】ＡＴＭ回線の回線障害をＩＰネットワーク回線経由で通信接続する対向側ＡＴＭ装置に通知することができない。【解決手段】ＡＴＭ回線６とＩＰネットワーク網４とを通信接続し、ＩＰネットワーク網４に接続する対向側ＡＴＭ装置３Ａと通信接続するＡＴＭ装置３であって、ＡＴＭ回線の回線障害を監視するＡＴＭ回線監視部１３と、ＡＴＭ回線監視部にてＡＴＭ回線の回線障害を検出すると、同回線障害に対応したＯＡＭセルを作成するＯＡＭセル作成部２５と、対向側ＡＴＭ装置３Ａに関わるＭＡＣヘッダ及びＩＰヘッダに基づき、同ＯＡＭセルをカプセル化することでＩＰパケットを作成するカプセル化部２１と、カプセル化部にてカプセル化したＩＰパケットを、レイヤ２スイッチ５、ＩＰネットワーク網４及び対向側レイヤ２スイッチ５Ａを通じて、対向側ＡＴＭ装置３Ａに伝送するＩＰネットワーク回線インタフェース１２とを有している。【選択図】図３
2007174359.tif 000002
【特許請求の範囲】
【請求項１】
ＡＴＭ回線とＩＰネットワーク回線とを通信接続し、前記ＩＰネットワーク回線に接続する対向側ＡＴＭ装置と通信接続するＡＴＭ装置であって、
前記ＡＴＭ回線の回線障害を監視する回線障害監視手段と、
この回線障害監視手段にて前記ＡＴＭ回線の回線障害を検出すると、同回線障害に対応したＯＡＭセルを作成するＯＡＭセル作成手段と、
前記対向側ＡＴＭ装置に関わるＩＰアドレスに基づき、前記ＯＡＭセル作成手段にて作成したＯＡＭセルをＩＰパケットに組み立てるパケット組立手段と、
このパケット組立手段にて組立化したＩＰパケットを、前記ＩＰネットワーク回線を通じて前記対向側ＡＴＭ装置に送信するＩＰパケット送信手段とを有することを特徴とするＡＴＭ装置。
【請求項２】
前記ＩＰネットワーク回線を通じて前記ＩＰパケットを受信するＩＰパケット受信手段と、
このＩＰパケット受信手段にて受信した前記ＩＰパケットをＯＡＭセルに分解するパケット分解手段と、
このパケット分解手段にて分解化したＯＡＭセルに基づき、前記ＩＰネットワーク回線を通じて対向側ＡＴＭ装置に関わる前記ＡＴＭ回線の回線障害を認識する回線障害認識手段とを有することを特徴とする請求項1記載のＡＴＭ装置。
【請求項３】
前記ＩＰパケット送信手段は、
前記回線障害監視手段の前記ＡＴＭ回線の回線障害検出中は前記ＯＡＭセルに関わるＩＰパケットの前記対向側ＡＴＭ装置への送信動作を継続すると共に、前記回線障害監視手段にて前記ＡＴＭ回線の回線障害復旧を検出すると、前記ＯＡＭセルに関わるＩＰパケットの前記対向側ＡＴＭ装置への送信動作を停止することを特徴とする請求項１又は２記載のＡＴＭ装置。
【請求項４】
前記障害通知有無を設定する通知設定手段を有し、
前記通知設定手段にて前記回線障害の通知有りを設定した場合、前記ＡＴＭ回線の回線障害を検出すると、同回線障害に対応したＯＡＭセルに関わるＩＰパケットの前記対向側ＡＴＭ装置への回線障害通知動作を実行すると共に、
前記通知設定手段にて前記回線障害の通知なしを設定した場合、前記ＡＴＭ回線の回線障害を検出したとしても、前記対向側ＡＴＭ装置への回線障害通知動作を実行しないことを特徴とする請求項１，２又は３記載のＡＴＭ装置。
【発明の詳細な説明】
【技術分野】
【０００１】
本発明は、ＡＴＭ回線及びＩＰネットワーク回線間を通信接続するＡＴＭ装置に関する。
【背景技術】
【０００２】
図１１は従来のＡＴＭ専用線サービスシステム内部の概略構成を示すブロック図である。
【０００３】
図１１に示すＡＴＭ専用線サービスシステム１００は、ＡＴＭ終端装置１０１と、ＡＴＭ終端装置１０１と接続すると共に、ＡＴＭ網１０２に接続するＡＴＭ装置１０３とを有し、ＡＴＭ終端装置１０１は、ＡＴＭ装置１０３、ＡＴＭ網１０２及び対向側ＡＴＭ装置１０３Ａ（１０３Ｂ）を通じて、対向側ＡＴＭ終端装置１０１Ａ（１０１Ｂ）と通信接続するものである。
【０００４】
ＡＴＭ装置１０３は、予め設定したバーチャルパス（ＶＰ）を使用し、例えばＶＰ＝“１”を使用して対向側ＡＴＭ装置１０３Ａと通信接続し、例えばＶＰ＝“２”を使用して対向側ＡＴＭ装置１０３Ｂに通信接続することで、ＡＴＭ終端装置１０１及び対向側ＡＴＭ終端装置１０１Ａ（１０１Ｂ）間でＡＴＭセルを送受信するものである。
【０００５】
また、ＡＴＭ装置１０３は、ＡＴＭ終端装置１０１との間のＡＴＭ回線１０４の回線障害を検出すると、同ＡＴＭ回線１０４の回線障害に対応した、ＪＴ−Ｉ６１０準拠のＯＡＭセルを作成し、このＯＡＭセルをＡＴＭ網１０２及び対向側ＡＴＭ装置１０３Ａ（１０３Ｂ）を通じて対向側ＡＴＭ終端装置１０１Ａ（１０１Ｂ）に通知するものである。
【０００６】
対向側ＡＴＭ終端装置１０１Ａ（１０１Ｂ）は、ＯＡＭセルを受信すると、対向側のＡＴＭ装置１０３及びＡＴＭ終端装置１０１間のＡＴＭ回線１０４で回線障害が発生したことを認識することができるものである。
【０００７】
図１１に示すＡＴＭ専用線サービスシステム１００によれば、ＡＴＭ網１０２を通じてＡＴＭ終端装置１０１及び対向側ＡＴＭ終端装置１０１Ａ（１０１Ｂ）相互間でＡＴＭセルを送受信することで、高速かつ高精度なデータ通信が可能になると共に、ＡＴＭ終端装置１０１及び対向側ＡＴＭ終端装置１０１Ａ（１０１Ｂ）相互間でＯＡＭセルを送受信することで、ＡＴＭ回線１０４の回線障害を認識することができる。
【０００８】
また、近年、安価なＩＰネットワーク回線の普及に伴って、既存のＡＴＭ専用線サービスシステムにＩＰネットワーク回線を導入したＡＴＭ・ＩＰネットワーク通信システムも知られている(例えば特許文献１参照)。
【０００９】
図１２は従来のＡＴＭ・ＩＰネットワーク通信システム内部の概略構成を示すブロック図である。
【００１０】
図１２に示すＡＴＭ・ＩＰネットワーク通信システム１１０は、ＡＴＭ終端装置１１１と、このＡＴＭ終端装置１１１に接続するＡＴＭ装置１１２と、ＩＰネットワーク網１１３及びＡＴＭ装置１１１間を通信接続するレイヤ２スイッチ１１４とを有し、ＡＴＭ終端装置１１１は、ＡＴＭ装置１１２、レイヤ２スイッチ１１４、ＩＰネットワーク網１１３、対向側レイヤ２スイッチ１１４Ａ（１１４Ｂ）及び対向側ＡＴＭ装置１１２Ａ（１１２Ｂ）を通じて、対向側ＡＴＭ終端装置１１１Ａ（１１１Ｂ）と通信接続するものである。
【００１１】
このような従来のＡＴＭ・ＩＰネットワーク通信システム１１０のＡＴＭ装置１１２によれば、ＡＴＭ終端装置１１１とのＡＴＭ回線１１５の回線障害を検出すると、レイヤ２スイッチ１１４との通信を切断することで、同レイヤ２スイッチ１１４に対して回線障害を物理的に通知するものと考えられる。
【特許文献１】特開２００１−１８９７３２号公報（要約書及び図１参照）
【発明の開示】
【発明が解決しようとする課題】
【００１２】
しかしながら、図１２に示すＡＴＭ・ＩＰネットワーク通信システム１１０内のＡＴＭ装置１１２によれば、同ＡＴＭ装置１１２及びＡＴＭ終端装置１１１間のＡＴＭ回線１１５の回線障害を検出すると、レイヤ２スイッチ１１４との通信を切断することで、ＡＴＭ回線１１５の回線障害をレイヤ２スイッチ１１４に通知するようにしたが、このレイヤ２スイッチ１１４以降のＩＰネットワーク網１１３経由での対向側ＡＴＭ装置１１２Ａ（１１２Ｂ）や対向側ＡＴＭ終端装置１１１Ａ（１１１Ｂ）には回線障害を通知することができないため、対向側ＡＴＭ終端装置１１１Ａ（１１１Ｂ）及び対向側ＡＴＭ装置１１２Ａ（１１２Ｂ）では同回線障害の対応動作ができない。
【００１３】
本発明は上記点に鑑みてなされたものであり、その目的とするところは、ＡＴＭ回線の回線障害をＩＰネットワーク回線経由で通信接続する対向側ＡＴＭ装置に通知することができるＡＴＭ装置を提供することにある。
【課題を解決するための手段】
【００１４】
上記目的を達成するために本発明のＡＴＭ装置は、ＡＴＭ回線とＩＰネットワーク回線とを通信接続し、前記ＩＰネットワーク回線に接続する対向側ＡＴＭ装置と通信接続するＡＴＭ装置であって、前記ＡＴＭ回線の回線障害を監視する回線障害監視手段と、この回線障害監視手段にて前記ＡＴＭ回線の回線障害を検出すると、同回線障害に対応したＯＡＭセルを作成するＯＡＭセル作成手段と、前記対向側ＡＴＭ装置に関わるＩＰアドレスに基づき、前記ＯＡＭセル作成手段にて作成したＯＡＭセルをＩＰパケットに組み立てるパケット組立手段と、このパケット組立手段にて組立化したＩＰパケットを、前記ＩＰネットワーク回線を通じて前記対向側ＡＴＭ装置に送信するＩＰパケット送信手段とを有するようにした。
【００１５】
また、本発明のＡＴＭ装置は、前記ＩＰネットワーク回線を通じて前記ＩＰパケットを受信するＩＰパケット受信手段と、このＩＰパケット受信手段にて受信した前記ＩＰパケットをＯＡＭセルに分解するパケット分解手段と、このパケット分解手段にて分解化したＯＡＭセルに基づき、前記ＩＰネットワーク回線を通じて対向側ＡＴＭ装置に関わる前記ＡＴＭ回線の回線障害を認識する回線障害認識手段とを有するようにした。
【００１６】
また、本発明のＡＴＭ装置は、前記ＩＰパケット送信手段が、前記回線障害監視手段の前記ＡＴＭ回線の回線障害検出中は前記ＯＡＭセルに関わるＩＰパケットの前記対向側ＡＴＭ装置への送信動作を継続すると共に、前記回線障害監視手段にて前記ＡＴＭ回線の回線障害復旧を検出すると、前記ＯＡＭセルに関わるＩＰパケットの前記対向側ＡＴＭ装置への送信動作を停止するようにした。
【００１７】
また、本発明のＡＴＭ装置は、前記障害通知有無を設定する通知設定手段を有し、前記通知設定手段にて前記回線障害の通知有りを設定した場合、前記ＡＴＭ回線の回線障害を検出すると、同回線障害に対応したＯＡＭセルに関わるＩＰパケットの前記対向側ＡＴＭ装置への回線障害通知動作を実行すると共に、前記通知設定手段にて前記回線障害の通知なしを設定した場合、前記ＡＴＭ回線の回線障害を検出したとしても、前記対向側ＡＴＭ装置への回線障害通知動作を実行しないようにした。
【発明の効果】
【００１８】
上記のように構成された本発明のＡＴＭ装置によれば、前記回線障害監視手段にて前記ＡＴＭ回線の回線障害を検出すると、同回線障害に対応したＯＡＭセルを作成し、前記対向側ＡＴＭ装置に関わるＩＰアドレスに基づき、この作成したＯＡＭセルをＩＰパケットに組み立て、この組立化したＩＰパケットを、前記ＩＰネットワーク回線を通じて前記対向側ＡＴＭ装置に伝送するようにしたので、ＡＴＭ装置側では、ＡＴＭ回線の回線障害が発生したとしても、回線障害を示すＯＡＭセルをＩＰパケット化することでＩＰネットワーク回線を通じて対向側ＡＴＭ装置に通知することができる。
【００１９】
また、本発明のＡＴＭ装置によれば、ＩＰネットワーク回線を通じてＩＰパケットを受信し、この受信したＩＰパケットを分解することでＯＡＭセルを取得し、この取得したＯＡＭセルに基づき、前記ＩＰネットワーク回線を通じて対向側ＡＴＭ装置に関わる前記ＡＴＭ回線の回線障害を認識するようにしたので、ＡＴＭ装置では、ＩＰネットワーク回線を通じてＯＡＭセルを取得することで、対向側ＡＴＭ装置のＡＴＭ回線の回線障害を認識することができる。
【００２０】
また、本発明のＡＴＭ装置によれば、前記回線障害監視手段の前記ＡＴＭ回線の回線障害検出中は前記ＯＡＭセルに関わるＩＰパケットの前記対向側ＡＴＭ装置への送信動作を継続すると共に、前記回線障害監視手段にて前記ＡＴＭ回線の回線障害復旧を検出すると、前記ＯＡＭセルに関わるＩＰパケットの前記対向側ＡＴＭ装置への送信動作を停止するようにしたので、対向側ＡＴＭ装置では、ＡＴＭ回線の回線障害検出中は連続して回線障害を認識することができる。
【００２１】
また、本発明のＡＴＭ装置によれば、前記障害通知の有無を設定する通知設定手段を有し、前記通知設定手段にて前記回線障害の通知有りを設定した場合、前記ＡＴＭ回線の回線障害を検出すると、同回線障害に対応したＯＡＭセルに関わるＩＰパケットの前記対向側ＡＴＭ装置への回線障害通知動作を実行すると共に、前記通知設定手段にて前記回線障害の通知なしを設定した場合、前記ＡＴＭ回線の回線障害を検出したとしても、前記対向側ＡＴＭ装置への回線障害通知動作を実行しないようにしたので、ＡＴＭ装置は、設定操作でＡＴＭ回線の回線障害時に対向側ＡＴＭ装置に対して回線障害を通知するか否かを設定することができる。
【発明を実施するための最良の形態】
【００２２】
以下、図面に基づいて本発明のＡＴＭ装置の実施の形態を示すＡＴＭ・ＩＰネットワーク通信システムについて説明する。図１は本実施の形態を示すＡＴＭ・ＩＰネットワーク通信システム内部の概略構成を示すブロック図である。
【００２３】
図１に示すＡＴＭ・ＩＰネットワーク通信システム１は、ＡＴＭ終端装置２と、ＡＴＭ終端装置２と接続するＡＴＭ装置３と、ＡＴＭ装置３と接続すると共に、ＩＰネットワーク網４と接続するレイヤ２スイッチ５とを有し、ＡＴＭ終端装置２は、ＡＴＭ装置３、レイヤ２スイッチ５、ＩＰネットワーク網４、対向側レイヤ２スイッチ５Ａ、対向側ＡＴＭ装置３Ａを通じて、対向側ＡＴＭ終端装置２Ａと通信接続するものである。
【００２４】
ＡＴＭ装置３は、ＡＴＭ回線６を通じてＡＴＭ終端装置２とＡＴＭセル通信を実行するＡＴＭセル通信機能と、ＩＰネットワーク回線７を通じてレイヤ２スイッチ５とＩＰパケット通信を実行するＩＰパケット通信機能と、ＡＴＭセル及びＩＰパケット間相互の通信変換機能とを有している。
【００２５】
また、対向側ＡＴＭ装置３Ａも同様に、対向側ＡＴＭ回線６Ａを通じて対向側ＡＴＭ終端装置２ＡとＡＴＭセル通信を実行するＡＴＭセル通信機能と、対向側ＩＰネットワーク回線７Ａを通じて対向側レイヤ２スイッチ５ＡとＩＰパケット通信を実行するＩＰパケット通信機能と、ＡＴＭセル及びＩＰパケット間相互の通信変換機能とを有している。
【００２６】
図２は本実施の形態に関わるＡＴＭ装置３(対向側ＡＴＭ装置３Ａ)内部の概略構成を示すブロック図である。尚、説明の便宜上、ＡＴＭ装置３の内部構成について説明するが、対向側ＡＴＭ装置３Ａの内部構成についても同様であることから、同一の構成については同一符号を付すことで、その重複する構成及び動作の説明については省略する。
【００２７】
図２に示すＡＴＭ装置３は、ＡＴＭ回線６との回線インタフェースを司るＡＴＭ回線インタフェース１１と、ＩＰネットワーク回線７との回線インタフェースを司るＩＰネットワーク回線インタフェース１２と、ＡＴＭ回線インタフェース１１を通じてＡＴＭ回線６の回線状況を監視するＡＴＭ回線監視部１３と、ＩＰネットワーク回線インタフェース１２を通じてＩＰネットワーク回線７の回線状況を監視するネットワーク回線監視部１４と、ＡＴＭセル通信及びＩＰパケット通信間の通信変換機能に関わるヘッダを管理するヘッダ対応テーブル１５と、このヘッダ対応テーブル１５のテーブル内容を変更可能にする保守端末８との制御インタフェースを司る保守端末制御部１６と、通信変換機能の制御を司るコンバータ制御部１７とを有している。
【００２８】
コンバータ制御部１７は、ＡＴＭ回線インタフェース１１を通じてＡＴＭセルを受信すると、ＡＴＭセルをカプセル化（組立化）してＩＰパケットに変換すると共に、ＩＰネットワーク回線インタフェース１２を通じてＩＰパケットを逆カプセル化(分解化)してＡＴＭセルを抽出するものである。
【００２９】
図３は本実施の形態に関わるコンバータ制御部１７内部の概略構成を示すブロック図である。
【００３０】
図３に示すコンバータ制御部１７は、ＡＴＭ回線インタフェース１１を通じてＡＴＭ回線６からＡＴＭセルを受信すると、このＡＴＭセルをカプセル化することでＩＰパケットに変換するカプセル化部２１と、このカプセル化部２１にて変換したＩＰパケットをＩＰネットワーク回線インタフェース１２を通じてＩＰネットワーク回線７に伝送するＩＰネットワーク回線用ドライバ２２と、ＩＰネットワーク回線インタフェース１２を通じてＩＰネットワーク回線７からＩＰパケットを受信すると、このＩＰパケットがカプセル化されたＡＴＭセル（ＯＡＭセル）であるか否かを判定するカプセル化判定部２３と、このカプセル化判定部２３にて同ＩＰパケットがカプセル化されたＡＴＭセル（ＯＡＭセル）であると判定されると、同ＩＰパケットを逆カプセル化することでＡＴＭセル（ＯＡＭセル）を抽出し、同ＡＴＭセル（ＯＡＭセル）を、ＡＴＭ回線インタフェース１１を通じてＡＴＭ回線６に伝送する逆カプセル化部２４と、同ＡＴＭ装置３及びＡＴＭ終端装置２間のＡＴＭ回線６の回線障害に対応したＯＡＭセルを作成するＯＡＭセル作成部２５と、このコンバータ制御部１７全体を制御する制御部２６とを有している。
【００３１】
制御部２６は、ＡＴＭ回線監視部１３を通じて同ＡＴＭ装置３及びＡＴＭ終端装置２間のＡＴＭ回線６の回線障害を検出すると、同回線障害に対応したＯＡＭセルを作成するようにＯＡＭセル作成部２５を制御すると共に、このＯＡＭセル作成部２５にて作成したＯＡＭセルをカプセル化部２１に伝送させるものである。
【００３２】
カプセル化部２１は、ＯＡＭセル作成部２５にて作成したＯＡＭセルをカプセル化することでＩＰパケットに変換し、このＩＰパケットをＩＰネットワーク回線用ドライバ２２に伝送するものである。
【００３３】
図４はＯＡＭセルのフォーマット構成を示す説明図である。
【００３４】
図４に示すＯＡＭセル３０は、セルを識別するセルヘッダ３１と、セル情報を伝搬するセルペイロード３２とを有し、セルペイロード３２は、ＯＡＭセル３０の種別を示す４ビット構成のＯＡＭセル種別３２Ａと、４ビット構成の機能種別３２Ｂと、４５バイト構成の固有フィールド３２Ｃと、６ビット構成の予備フィールド３２Ｄと、符号誤り訂正に使用する１０ビット構成のＥＤＣ３２Ｅとで構成する。
【００３５】
セルヘッダ３１は、５バイトで構成し、４ビット構成のＧＦＣ３１Ａと、０〜２５５のパスを識別する８ビット構成のバーチャルパス識別子（ＶＰＩ)３１Ｂと、チャネルを識別する１６ビット構成のバーチャルチャネル識別子（ＶＣＩ）３１Ｃと、３ビット構成のＰＴＩ３１Ｄと、１ビット構成のＣＬＰ３１Ｅと、８ビット構成のＨＥＣ３１Ｆとで構成している。尚、ＯＡＭセル３０は、例えば順方向の回線障害に対応したＡＩＳ型のＯＡＭセル(図４（ｂ）参照)と、逆方向の回線障害に対応したＲＤＩ型のＯＡＭセル(図４（ｃ）参照)等を有し、ＯＡＭセル種別３２Ａ及び機能種別３２Ｂで、これらＯＡＭセルを識別するものである。
【００３６】
図５はＩＰパケット内部のＩＰヘッダのフォーマット構成を示す説明図である。
【００３７】
図５に示すＩＰヘッダ４０は、２０バイト固定長とし、４ビット構成のバージョン４１と、４ビット構成のＩＨＬ４２と、ＩＰヘッダ４０内の各フィールド内容を示す８ビット構成のサービスタイプ４３と、１６ビット構成のトータル長４４と、１６ビット構成の識別子４５と、３ビット構成のフラグ４６と、１３ビット構成のフラグメントオフセット４７と、８ビット構成の生存時間４８と、８ビット構成のプロトコル４９と、１６ビット構成のヘッダチェックサム５０と、３２ビット構成の送信元ＩＰアドレス５１と、３２ビット構成の送信先ＩＰアドレス５２とを有している。尚、送信元ＩＰアドレス５１は、送信元である、例えばＡＴＭ装置３のＩＰアドレスに相当するものである。
【００３８】
図６はＩＰパケット内部のＭＡＣヘッダのフォーマット構成を示す説明図である。
【００３９】
図６に示すＭＡＣヘッダ６０は、６バイト構成の送信先ＭＡＣアドレス（ＤＡ）６１と、６バイト構成の送信元ＭＡＣアドレス（ＳＡ）６２と、２バイト構成のタイプ（Ｔｙｐｅ）６３とを有している。尚、ＭＡＣアドレス６２は、送信元である、例えばＡＴＭ装置３のＭＡＣアドレスに相当するものである。
【００４０】
図７は本実施の形態に関わるヘッダ対応テーブル１５のテーブル内容を示す説明図である。
【００４１】
図７に示すヘッダ対応テーブル１５は、ＶＰＩ毎に、１４バイト構成のＭＡＣヘッダ６０及び、２０バイト構成のＩＰヘッダ４０で構成する３４バイト構成のヘッダ情報７１と、回線障害通知の有無設定７２とを記憶管理している。
【００４２】
保守端末８は、保守端末制御部１６を通じてヘッダ対応テーブル１５内のＶＰＩに対応したヘッダ情報７１及び回線障害通知の有無設定７２を設定変更するものである。
【００４３】
コンバータ制御部１７のカプセル化部２１は、ＯＡＭセル作成部２５にてＡＴＭ回線６の回線障害に対応したＯＡＭセルを作成し、ヘッダ対応テーブル１５からＶＰＩ毎にＭＡＣヘッダ及びＩＰヘッダを読み出し、これら読み出したＭＡＣヘッダ及びＩＰヘッダでＯＡＭセルをカプセル化することで、ＯＡＭセルをＶＰＩ毎のＩＰパケットに変換するものである。
【００４４】
尚、請求項記載の回線障害監視手段はＡＴＭ回線監視部１３、ＯＡＭセル作成手段はＯＡＭセル作成部２５、パケット組立手段はカプセル化部２１及びヘッダ対応テーブル１５、ＩＰパケット送信手段及びＩＰパケット受信手段はＩＰネットワーク回線インタフェース１２、パケット分解手段は逆カプセル化部２４、回線障害認識手段は制御部２６、通知設定手段は保守端末８に相当するものである。
【００４５】
次に本実施の形態を示すＡＴＭ・ＩＰネットワーク通信システム１の動作について説明する。図８は本実施の形態のＡＴＭ回線障害通知処理に関わるＡＴＭ装置３の処理動作を示すフローチャートである。
【００４６】
図８に示すＡＴＭ回線障害通知処理とは、ＡＴＭ終端装置２及びＡＴＭ装置３間のＡＴＭ回線６の回線障害を検出すると、このＡＴＭ回線６の回線障害を、レイヤ２スイッチ５、ＩＰネットワーク網４、対向側レイヤ２スイッチ５Ａ及び対向側ＡＴＭ装置３Ａを通じて、対向側ＡＴＭ終端装置２Ａに通知するＡＴＭ装置３側の処理である。
【００４７】
図８においてＡＴＭ装置３のコンバータ制御部１７内の制御部２６は、ＡＴＭ回線監視部１３を通じてＡＴＭ回線６の回線障害を検出すると(ステップＳ１１)、ヘッダ対応テーブル１５内の回線障害通知設定の有無に基づき、ＡＴＭ回線６の回線障害を対向側ＡＴＭ装置３Ａに通知する設定があるか否かを判定する(ステップＳ１１Ａ)。
【００４８】
制御部２６は、対向側ＡＴＭ装置３Ａに回線障害を通知する設定ありと判定されると、ＯＡＭセル作成部２５を通じて同ＡＴＭ回線６の回線障害に対応したＯＡＭセルを作成する(ステップＳ１２)。
【００４９】
制御部２６は、ＯＡＭセル作成部２５にて作成したＯＡＭセルをカプセル化部２１に伝送する(ステップＳ１３)。
【００５０】
さらに制御部２６は、ヘッダ対応テーブル１５のテーブル内容に基づき、ＯＡＭセルを通知するＶＰＩ毎にＭＡＣヘッダ及びＩＰヘッダを読み出し(ステップＳ１４)、これらＶＰＩ毎にＭＡＣヘッダ及びＩＰヘッダをカプセル化部２１に通知する(ステップＳ１５)。
【００５１】
カプセル化部２１は、図１０（ａ）に示すように、セルヘッダを含むＯＡＭセルに、ＶＰＩに対応したＭＡＣヘッダ及びＩＰヘッダを付加してカプセル化することで、同ＯＡＭセルをＶＰＩ毎にＩＰパケットに変換する(ステップＳ１６)。
【００５２】
カプセル化部２１は、図１０（ａ）に示すように、対向側ＡＴＭ装置３ＡのＶＰＩに対応するＭＡＣヘッダ及びＩＰヘッダを、ＯＡＭセルのセルヘッダ（Ｈｅｃなし）のヘッダに付加することで、ＯＡＭセルをＩＰパケットに変換するものである。尚、セルヘッダは、Ｈｅｃなしであることから、Ｈｅｃ分のデータ、すなわち１バイト分のデータを削減することができる。
【００５３】
さらに、カプセル化部２１は、ステップＳ１６にてＯＡＭセルをＶＰＩ毎にＩＰパケットに変換すると、同ＩＰパケットにＦＣＳを付加し、同ＩＰパケットをＩＰネットワーク回線用ドライバ２２及びＩＰネットワーク回線インタフェース１２を通じてＩＰネットワーク回線７に通知する(ステップＳ１７)。その結果、ＡＴＭ装置３は、ＩＰネットワーク回線７、レイヤ２スイッチ５、ＩＰネットワーク網４、対向側レイヤスイッチ５Ａ及び対向側ＩＰネットワーク回線７Ａを通じて、同ＯＡＭセルをカプセル化したＩＰパケットを対向側ＡＴＭ装置３Ａに通知するものである。
【００５４】
また、制御部２６は、ステップＳ１１Ａにて通知設定ありと判定されたのでなければ、同回線障害通知設定なしと判断し、ＡＴＭ回線６の回線障害を対向側ＡＴＭ装置３Ａに通知することなく、この処理動作を終了する。
【００５５】
尚、図８に示すＡＴＭ回線障害通知処理は、ＡＴＭ回線監視部１３を通じてＡＴＭ回線６の回線障害を検出すると、同ＡＴＭ回線監視部１３を通じてＡＴＭ回線６の回線復旧を検出するまで、継続してＯＡＭセルをカプセル化したＩＰパケットを対向側ＡＴＭ装置３Ａに通知するものである。
【００５６】
また、ＡＴＭ回線障害通知処理は、ＡＴＭ回線監視部１３を通じてＡＴＭ回線６の回線障害の復旧を検出すると、ＯＡＭセル作成部２５の回線障害に対応するＯＡＭセルの作成を停止するものである。
【００５７】
図８に示すＡＴＭ回線障害通知処理によれば、ＡＴＭ回線６の回線障害を検出すると、回線障害通知設定ありか否かを判定し、回線障害通知設定ありと判定されると、同回線障害に対応したＯＡＭセルを作成し、ＶＰＩ毎にＯＡＭセルをカプセル化することでＩＰパケットに変換し、同ＩＰパケットを、ＩＰネットワーク網４を通じて対向側ＡＴＭ装置に通知するようにしたので、ＡＴＭ装置３は、ＩＰネットワーク網４を通じてＡＴＭ回線６の回線障害発生を対向側ＡＴＭ３Ａに通知することができる。
【００５８】
また、図８に示すＡＴＭ回線障害通知処理によれば、ＡＴＭ回線６の回線障害を検出したとしても、回線障害通知設定なしと判定されると、同回線障害を対向側ＡＴＭ装置３Ａに通知しないようにすることも可能である。
【００５９】
図９は本実施の形態のＡＴＭ回線障害通知受信処理に関わる対向側ＡＴＭ装置３Ａの処理動作を示すフローチャートである。
【００６０】
図９に示すＡＴＭ回線障害通知受信処理とは、ＡＴＭ装置３からＯＡＭセルをカプセル化したＩＰパケットを受信することで、対向側のＡＴＭ装置３のＡＴＭ回線６の回線障害を認識できる対向側ＡＴＭ装置３Ａ側の処理である。
【００６１】
図９において対向側ＡＴＭ装置３Ａのコンバータ制御部１７内の制御部２６は、対向側レイヤ２スイッチ５Ａ及び対向側ＩＰネットワーク回線７Ａを通じてＩＰパケットを受信したか否かを判定する(ステップＳ２１)。
【００６２】
制御部２６は、ＩＰネットワーク回線インタフェース１２を通じてＩＰパケットを受信すると、カプセル化判定部２３を通じて、同ＩＰパケットがＯＡＭセル（ＡＴＭセル）をカプセル化したものであるか否かを判定する(ステップＳ２２)。
【００６３】
制御部２６は、カプセル化判定部２３を通じて、同ＩＰパケットがＯＡＭセル（ＡＴＭセル）をカプセル化したものであると判定されると、逆カプセル化部２４を通じて、図１０（ｂ）に示すように同ＩＰパケットを逆カプセル化することでＯＡＭセルを抽出する(ステップＳ２３)。尚、逆カプセル化部２４は、図１０（ｂ）に示すようにＩＰパケットを逆カプセル化することで、セルヘッダ（Ｈｅｃなし）及びＯＡＭセルを抽出するものである。
【００６４】
制御部２６は、逆カプセル化部２４を通じて同ＩＰパケットからセルヘッダを含むＯＡＭセルを抽出し、この抽出したＯＡＭセルを認識する(ステップＳ２４)。尚、対向側ＡＴＭ装置３Ａは、ＯＡＭセルを認識することで、ＡＴＭ終端装置２及びＡＴＭ装置３間のＡＴＭ回線６の回線障害を認識することになる。
【００６５】
制御部２６は、ＯＡＭセルを認識すると、図１０（ｂ）に示すようにＨｅｃなしのセルヘッダにＨｅｃを付加し、固定長のセルヘッダ及びＯＡＭセルを、ＡＴＭ回線インタフェース１１を通じて対向側ＡＴＭ回線６Ａに通知する(ステップＳ２５)。その結果、対向側ＡＴＭ終端装置２Ａは、同ＯＡＭセルを受信することで、ＡＴＭ終端装置２及びＡＴＭ装置３間のＡＴＭ回線６の回線障害を認識することになる。
【００６６】
また、制御部２６は、ステップＳ２１にてＩＰパケットを受信したのでなければ、又はステップＳ２２にて同ＩＰパケットがカプセル化されたＡＴＭセル（ＯＡＭセル）でないと判定されると、この処理動作を終了する。
【００６７】
図９に示すＡＴＭ回線障害通知受信処理によれば、例えばＡＴＭ装置３からＡＴＭ回線６の回線障害に対応したＯＡＭセルをカプセル化したＩＰパケットを受信すると、同ＩＰパケットを逆カプセル化することでＯＡＭセルを抽出し、このＯＡＭセルに基づき、ＡＴＭ装置３及びＡＴＭ終端装置２間のＡＴＭ回線６の回線障害を認識するようにしたので、対向側ＡＴＭ装置３Ａは、ＩＰネットワーク網４を通じて、ＡＴＭ装置３及びＡＴＭ終端装置２間のＡＴＭ回線６の回線障害を認識することができる。さらに対向側ＡＴＭ終端装置２Ａでも、ＡＴＭ回線６の回線障害を認識することができる。
【００６８】
本実施の形態によれば、ＡＴＭ回線監視部１３にてＡＴＭ回線６の回線障害を検出すると、同回線障害に対応したＯＡＭセルを作成し、対向側ＡＴＭ装置３Ａに関わるＩＰアドレスのＭＡＣヘッダ及びＩＰヘッダに基づき、同ＯＡＭセルをカプセル化してＩＰパケットに変換し、このＩＰパケットを、ＩＰネットワーク網４を通じて対向側ＡＴＭ装置３Ａに伝送するようにしたので、ＡＴＭ装置３側では、ＡＴＭ回線６の回線障害が発生したとしても、回線障害を示すＯＡＭセルをＩＰパケット化することでＩＰネットワーク網４を通じて対向側ＡＴＭ装置３Ａに通知することができる。
【００６９】
また、本実施の形態によれば、ＩＰネットワーク網４を通じてＩＰパケットを受信し、この受信したＩＰパケットを逆カプセル化することでＯＡＭセルを抽出し、この抽出したＯＡＭセルに基づき、ＩＰネットワーク網４を通じてＡＴＭ装置３に関わるＡＴＭ回線６の回線障害を対向側ＡＴＭ装置３Ａ側で認識できるようにしたので、対向側ＡＴＭ装置３Ａでは、ＩＰネットワーク網４を通じてＯＡＭセルを抽出することで、ＡＴＭ装置３のＡＴＭ回線６の回線障害を認識することができる。
【００７０】
また、本実施の形態によれば、ＡＴＭ回線監視部１３のＡＴＭ回線６の回線障害検出中はＯＡＭセルに関わるＩＰパケットの対向側ＡＴＭ装置３Ａへの送信動作を継続すると共に、ＡＴＭ回線監視部１３にてＡＴＭ回線６の回線障害復旧を検出すると、ＯＡＭセルに関わるＩＰパケットの対向側ＡＴＭ装置３Ａへの送信動作を停止するようにしたので、対向側ＡＴＭ装置３Ａでは、ＡＴＭ回線６の回線障害検出中は連続して回線障害を認識することができる。
【００７１】
また、本実施の形態によれば、ＡＴＭ装置３側のヘッダ対応テーブル１５内に障害通知の有無を予め設定しておき、回線障害の通知有りを設定した場合、ＡＴＭ回線６の回線障害を検出すると、同回線障害に対応したＯＡＭセルに関わるＩＰパケットの対向側ＡＴＭ装置３Ａへの回線障害通知動作を実行すると共に、回線障害の通知なしを設定した場合、ＡＴＭ回線６の回線障害を検出したとしても、対向側ＡＴＭ装置３Ａへの回線障害通知動作を実行しないようにしたので、ＡＴＭ装置３は、保守端末８からの設定操作でＡＴＭ回線６の回線障害時に対向側ＡＴＭ装置３Ａに対して回線障害を通知するか否かを設定することができる。
【００７２】
尚、上記実施の形態においては、ＡＴＭ回線６の回線障害を検出すると、同ＡＴＭ装置３から同回線障害に対応したＯＡＭセルを作成し、このＯＡＭセルをカプセル化したＩＰパケットを対向側ＡＴＭ装置３Ａに通知すると共に、同対向側ＡＴＭ装置３Ａは、ＩＰパケットを受信すると、同ＩＰパケットを逆カプセル化することでＯＡＭセルを抽出し、このＯＡＭセルに基づきＡＴＭ回線６の回線障害を認識するようにしたが、例えば対向側ＡＴＭ回線６Ａの回線障害を検出したとしても、対向側ＡＴＭ装置３Ａから同回線障害に対応したＯＡＭセルを作成し、このＯＡＭセルをカプセル化したＩＰパケットをＡＴＭ装置３に通知すると共に、同ＡＴＭ装置３は、ＩＰパケットを受信すると、同ＩＰパケットを逆カプセル化することでＯＡＭセルを抽出し、このＯＡＭセルに基づき対向側ＡＴＭ装置６Ａの回線障害を認識することができることも言うまでもない。
【００７３】
また、上記実施の形態においては、説明の便宜上、ヘッダ対応テーブル１５内の全ＶＰＩに対応する回線障害通知設定を全て“あり”としたが、ＶＰＩ毎に回線障害通知の有無を設定するようにしても良いことは言うまでもない。
【００７４】
また、上記実施の形態においては、ＡＴＭ装置３及びＩＰネットワーク網４間をレイヤ２スイッチ５で通信接続すると共に、対向側ＡＴＭ装置３Ａ及びＩＰネットワーク網４間を対向側レイヤ２スイッチ５Ａで通信接続するようにしたが、これらレイヤ２スイッチ５及び対向側レイヤ２スイッチ５Ａの代わりにレイヤ３スイッチを使用するにしても、同様の効果が得られることは言うまでもない。
【産業上の利用可能性】
【００７５】
本発明のＡＴＭ装置によれば、回線障害監視手段にてＡＴＭ回線の回線障害を検出すると、同回線障害に対応したＯＡＭセルを作成し、対向側ＡＴＭ装置に関わるＩＰアドレスに基づき、この作成したＯＡＭセルをＩＰパケットに組み立て、この組立化したＩＰパケットを、ＩＰネットワーク回線を通じて前記対向側ＡＴＭ装置に伝送するようにしたので、ＡＴＭ装置側では、ＡＴＭ回線の回線障害が発生したとしても、回線障害を示すＯＡＭセルをＩＰパケット化することでＩＰネットワーク回線を通じて対向側ＡＴＭ装置に通知することができるため、例えばＡＴＭ回線とＩＰネットワーク回線とを融合したＡＴＭ・ＩＰネットワーク通信システムにも有用である。
【図面の簡単な説明】
【００７６】
【図１】本発明のＡＴＭ装置に関わる実施の形態を示すＡＴＭ・ＩＰネットワーク通信システム内部の概略構成を示すブロック図である。
【図２】本実施の形態に関わるＡＴＭ装置内部の概略構成を示すブロック図である。
【図３】本実施の形態に関わるＡＴＭ装置のコンバータ制御部内部の概略構成を示すブロック図である。
【図４】本実施の形態に関わるＡＴＭ装置で作成するＯＡＭセル内部のフォーマット構成を示す説明図である。
【図５】本実施の形態に関わるＡＴＭ装置でＯＡＭセルをカプセル化する際のＩＰパケットのＩＰヘッダ内部のフォーマット構成を示す説明図である。
【図６】本実施の形態に関わるＡＴＭ装置でＯＡＭセルをカプセル化する際のＩＰパケットのＭＡＣヘッダ内部のフォーマット構成を示す説明図である。
【図７】本実施の形態に関わるＡＴＭ装置のヘッダ対応テーブルのテーブル内容を示す説明図である。
【図８】本実施の形態のＡＴＭ回線障害通知処理に関わるＡＴＭ装置の処理動作を示すフローチャートである。
【図９】本実施の形態のＡＴＭ回線障害通知受信処理に関わる対向側ＡＴＭ装置の処理動作を示すフローチャートである。
【図１０】本実施の形態のＡＴＭ回線障害通知処理及びＡＴＭ回線障害通知受信処理に関わるＡＴＭ装置(対向側ＡＴＭ装置)のカプセル時及び逆カプセル時のＯＡＭセルのフォーマット構成を示す説明図である。
【図１１】従来のＡＴＭ専用線サービスシステム内部の概略構成を示すブロック図である。
【図１２】従来のＡＴＭ・ＩＰネットワーク通信システム内部の概略構成を示すブロック図である。
【符号の説明】
【００７７】
３  ＡＴＭ装置
３Ａ  対向側ＡＴＭ装置
４  ＩＰネットワーク網(ＩＰネットワーク回線)
６  ＡＴＭ回線
８  保守端末（通知設定手段）
１２  ＩＰネットワーク回線インタフェース（ＩＰパケット送信手段及びＩＰパケット受信手段）
１３  ＡＴＭ回線監視部(回線障害監視手段)
１５  ヘッダ対応テーブル（パケット組立手段）
２１  カプセル化部（パケット組立手段）
２４  逆カプセル化部（パケット分解手段）
２５  ＯＡＭセル作成部（ＯＡＭセル作成手段）
２６  制御部(回線障害認識手段)
【図１】
2007174359.tif 000003
【図２】
2007174359.tif 000004
【図３】
2007174359.tif 000005
【図４】
2007174359.tif 000006
【図５】
2007174359.tif 000007
【図６】
2007174359.tif 000008
【図７】
2007174359.tif 000009
【図８】
2007174359.tif 000010
【図９】
2007174359.tif 000011
【図１０】
2007174359.tif 000012
【図１１】
2007174359.tif 000013
【図１２】
2007174359.tif 000014